【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】 自動化された噴流デイスペンサーが、
制御器と、
シロップを該噴流デイスペンサーに供給するシロップバルブと、
該噴流デイスペンサーに炭酸水を供給する水バルブと、
該シロップバルブ及び該水バルブの各々に協働する電流検出抵抗器とを具備しており、
該制御器は該シロップバルブ、該水バルブ、そして各電流検出抵抗器と電気的に通信しており、該制御器は該電流検出抵抗器の各々から情報を受信し、該情報はそのそれぞれの電流検出抵抗器に協働する該バルブが適当に動作しているかどうかを示すことを特徴とする自動化された噴流デイスペンサー。
【請求項２】 自動化された噴流デイスペンサーが、
デイスペンサーハウジングと、
各々が該デイスペンサーハウジングに選択的にそして取り外し可能に取り付け可能な、種々の構成の複数の消費者インターフエースと、
該複数の消費者インターフエースの各々に協働する別個のシグネチュア抵抗器と、そして
制御器とを具備しており、
各シグネチュア抵抗器は該制御器へ、該デイスペンサーハウジングに取り外し可能に取り付けられた該協働する選択された消費者インターフエースの特定の構成を通信出来ることを特徴とする自動化された噴流デイスペンサー。
【請求項３】 更に、
各々が該噴流デイスペンサーに選択的にそして取り外し可能に取付可能な、複数の種々の水供給部と、
各々が該噴流デイスペンサーに選択的にそして取り外し可能に取付可能な、複数の種々のシロップ供給部と、そして
ソフトウエアとを具備しており、該ソフトウエアは該制御器内に埋め込まれておりそして該種々の水供給部と該種々のシロップ供給部とをそれらのそれぞれの消費者インターフエースに相関させる整合リストを備えており、該ソフトウエアが更に、該消費者インターフエースと専用の水供給部及びシロップ供給部との何れの１つをも適当に設置するためのプログラムされた命令セットを備えることを特徴とする請求項２の該自動化された噴流デイスペンサー。
【請求項４】 自動化された噴流デイスペンサーが、
炭酸水を発生するために水と２酸化炭素が混合するカーボネータータンクと、
該カーボネータータンクと流体的に連通する流量計とを具備しており、該流量計は該カーボネータータンクからの炭酸水の出力をモニターすることが出来ており、該デイスペンサーは又、
該カーボネータータンクと流体的に連通するカーボネーターバルブを具備しており、該カーボネーターバルブは該カーボネータータンク内への水の流れを調整しており、該デイスペンサーは更に、
飲料の質の注入需要を入力するための入力パネルと、そして
制御器とを具備しており、該制御器は、それらの動作を協調させるために、該流量計、該カーボネーターバルブ、そして該入力パネルと電気的に通信しており、
該制御器は、該炭酸水の出力と該注入需要とをモニターすること、と該カーボネータータンク内へ水を入らせるために、必要な様に、開くよう該カーボネーターバルブに命令することにより該カーボネータータンク内の該水のレベルを望ましいレベルに保持出来ることを特徴とする自動化された噴流デイスペンサー。
【請求項５】 請求項４の該自動化された噴流デイスペンサーが更に、
該カーボネータータンクの内部に延びる高レベルプローブを具備しており、該高レベルプローブが何時該カーボネータータンク内部の水のレベルが予め決められた高レベルに到達したかを検出し、合図しており、そして該デイスペンサーは又、
該カーボネータータンクの内部に延びる低レベルプローブを具備しており、該低レベルプローブが何時該カーボネータータンク内部の水のレベルが予め決められた低レベルに到達したかを検出し、合図しており、
該制御器は、該水レベルが該プローブに合図させる該それぞれのレベルに到達した時該プローブが実際に合図するかどうかを決定することにより、該高レベルプローブか又は低レベルプローブかの何れかの故障を検出出来ることを特徴とする該自動化された噴流デイスペンサー。
【請求項６】 更に、
該カーボネータータンク内部へ延びる低レベルプローブを具備しており、該低レベルプローブは該カーボネータータンク内部の該水のレベルが何時予め決められた低レベルに到達するかを検出し、合図しており、そして該制御器は、該水のレベルが予め決められた低レベルに到達する前に、そして該低レベルプローブが、該カーボネータータンク内部の該水のレベルが該予め決められた低レベルに到達したことを検出し合図することが出来る前に、開くよう該カーボネーターバルブに命令することを特徴とする請求項４の該自動化された噴流デイスペンサー。
【請求項７】 更に、
該カーボネータータンク内部に延びる高レベルプローブを具備しており、該高レベルプローブは何時該カーボネータータンク内部の水のレベルが予め決められた高レベルに到達したかを検出し、合図しており、
該制御器は該水レベルが該プローブに合図させる該レベルに到達した時該プローブが実際合図するかどうかを決定することにより該高レベルプローブの故障を検出出来ることを特徴とする請求項４の該自動化された噴流デイスペンサー。
【請求項８】 更に、
該カーボネータータンク内部に延びる低レベルプローブを具備しており、該低レベルプローブは該カーボネータータンク内部の該水のレベルが何時予め決められた低レベルに到達したかを検出し、合図しており、
該制御器は該水レベルが該プローブに合図させる該レベルに到達した時該プローブが実際合図するかどうかを決定することにより該低レベルプローブの故障を検出出来ることを特徴とする請求項４の該自動化された噴流デイスペンサー。
【請求項９】 自動化された噴流デイスペンサーが、
制御器と、
デイスペンサーハウジングと、
炭酸水を発生するために水と２酸化炭素が混合するカーボネータータンクと、
該噴流デイスペンサーへシロップを供給するシロップバルブと、
該噴流デイスペンサーへ該炭酸水を供給する水バルブと、
該カーボネータータンクへの該供給水を調整するカーボネーターバルブと、
該カーボネータータンクと流体的に連通する流量計とを具備しており、該流量計は該カーボネータータンクからの該炭酸水の出力を測定出来ており、そして該デイスペンサーは又、
注入需要を受信できる入力パネルを具備しており、該入力パネルは種々の構成の複数の消費者インターフエースから選択されており、各消費者インターフエースは該デイスペンサーハウジングに選択的にそして取り外し可能に取り付け可能であり、
該制御器は該シロップバルブ、該水バルブ、該カーボネーターバルブ、該流量計、そして該入力パネルと電気的に通信していることを特徴とする該自動化された噴流デイスペンサー。
【請求項１０】 更に、
該シロップバルブ、該水バルブ、そして該カーボネーターバルブの各々に協働する少なくとも１つの電流検出抵抗器と、そして
該複数の消費者インターフエースの各々に協働する別個のシグネチュア抵抗器とを具備しており、
各電流検出抵抗器は該制御器と電気的に通信しており、そして
そこでは、該シグネチュア抵抗器は該デイスペンサーハウジングに取り外し可能に取り付けられた該選択された消費者インターフエースの該特定の構成を該制御器へ通信出来ることを特徴とする請求項９の該自動化された噴流デイスペンサー。
【請求項１１】   該炭酸水の出力と該注入需要とをモニターすることそして該カーボネータータンク内へ水を入らせるために、必要な様に、開くよう該カーボネーターバルブに命令することにより、該制御器が該カーボネータータンク内の該水のレベルを望ましいレベルに保持出来ることを特徴とする請求項９の該自動化された噴流デイスペンサー。
【請求項１２】 請求項９の該自動化された噴流デイスペンサーが、更に
該カーボネータータンク内部に延びる高レベルプローブを具備しており、該高レベルプローブは該カーボネータータンク内部の該水のレベルが予め決められた高レベルに何時到達したかを検出しそして合図しており、そして該デイスペンサーは又
該カーボネータータンク内部に延びる低レベルプローブを具備しており、該低レベルプローブは該カーボネータータンク内部の該水のレベルが予め決められた低レベルに何時到達したかを検出しそして合図しており、
該制御器は、該水レベルが該プローブに合図させる該それぞれのレベルに到達した時該プローブが実際に合図するかどうかを決定することにより該高レベルプローブか又は該低レベルプローブか何れかの故障を検出出来ることを特徴とする該自動化された噴流デイスペンサー。
【請求項１３】 請求項１の該噴流デイスペンサーを動作させる方法において、
該カーボネータータンクに水を供給する過程と、
該有する噴流デイスペンサーにシロップを供給する過程と、
該噴流デイスペンサーに炭酸水を供給する過程と、
該電流検出抵抗器の各々からの情報をモニターする過程と、
該そのそれぞれの電流検出抵抗器に付随する該バルブが適当に動作しているかを決定する過程と、
そして 該カーボネータータンクへの該水の供給と該噴流デイスペンサーへの該シロップと炭酸水の供給とを電気的に制御する過程とを具備することを特徴とする噴流デイスペンサーを動作させる方法。
【請求項１４】 更に、
該付随するバルブの少なくとも１つが適当に動作していないと言う決定が行われた時警報信号をアウトレットへ取り継ぐ過程と、そして
該警報信号に応答して警報通知を発生する過程とを具備しており、
前記情報をモニターする過程が各電流検出抵抗器を通って引き込まれる電流を決定する過程を備ており、該電流は、それが付随する該バルブが適当に動作している時は第１の、普通の読み値にあり、そして該電流は、それが付随する該バルブが適当に動作していない時は該第１の読み値とは異なる第２の読み値にあることを特徴とする請求項１３の該方法。
【請求項１５】 請求項２の噴流デイスペンサーを動作させる方法が、
該複数の消費者インターフエースの各々に別個のシグネチュア抵抗器を提供する過程と、
該選択された消費者インターフエースのシグネチュア抵抗器間で通信された情報に基づき該デイスペンサーハウジングに取り外し可能に取り付けられた該選択された消費者インターフエースの特定の構成を決定する過程と、そして
噴流飲料を制御可能にデイスペンスすることを具備することを特徴とする該噴流デイスペンサーを動作させる方法。
【請求項１６】 請求項１５の該方法が更に、該シグネチュア抵抗器間で通信された情報に基づき、該デイスペンサーハウジングに取り外し可能に取り付けられた該選択された消費者インターフエースが適当に動作しているかどうかを、決定する過程と、
該デイスペンサーハウジングに取り外し可能に取り付けられた該選択された消費者インターフエースが適当に動作していないと言う決定が行われた時警報信号をアウトレットに取り次ぐ過程と、そして
該警報信号に応答して警報通知を発生する過程とを具備することを特徴とする該方法。
【請求項１７】 請求項１５の該方法が更に、
複数の種々の水供給部を該デイスペンサーハウジングに選択的にそして取り外し可能に接続する過程と、
複数の種々のシロップ供給部を該デイスペンサーハウジングに選択的にそして取り外し可能に接続する過程と、そして
該種々の水供給部と該種々のシロップ供給部とを該複数の消費者インターフエースの各々へ相関させる整合リストを有するソフトウエアを該制御器内に埋め込む過程と、そして
該種々の水供給部とシロップ供給部とを有する該複数の消費者インターフエイスの何れか１つを適当に設置するための命令セットを有する該ソフトウエアをプログラムする過程とを具備することを特徴とする該方法。
【請求項１８】 請求項４の該噴流デイスペンサーを動作する方法が、
該カーボネータータンク内で炭素ガスを発生する過程と、
該流量計で該カーボネータータンクからの炭酸水の出力をモニターする過程と、
該カーボネーターバルブを使用して該カーボネータータンク内への該水の流れを調整する過程と、
該注入需要を入力する過程と、そして
噴流飲料を制御可能にデイスペンスする過程とを具備することを特徴とする該噴流デイスペンサーを動作させる方法。
【請求項１９】 更に、
該炭酸水の出力と該注入需要とをモニターする過程と、
該カーボネータータンク内へ水を入らせるために、必要な様に、開くよう該カーボネーターバルブに命令することにより該制御器で該カーボネータータンク内で水の望ましいレベルを保持する過程とを具備することを特徴とする請求項１８の該方法。
【請求項２０】 請求項１８の該方法が更に、
該カーボネータータンク内部の水のレベルが予め決められた高レベルに何時到達したかを検出しそして合図する過程を具備しており、該高水レベルを該検出しそして合図する過程は高レベルプローブにより行われ、該方法は又、
該カーボネータータンク内部の水のレベルが予め決められた低レベルに何時到達したかを検出しそして合図する過程を具備しており、該低水レベルを該検出しそして合図する過程は低レベルプローブにより行われ、そして該方法は更に、
該水レベルが該プローブに合図させる該それぞれのレベルに到達した時該プローブが実際に合図するかどうかを決定することにより該高レベルプローブか及び該低レベルプローブの少なくとも１つ故障を検出する過程と、
該高レベルプローブと該低レベルプローブの少なくとも１つが適当に動作しないと言う決定が行われた時警報信号をアウトレットに取り次ぐ過程と、そして
ｎ該警報信号に応答して警報通知を発生する過程と具備することを特徴とする該方法。